(57)【要約】      （修正有）【課題】浴槽内で随時使用できる冷却具によって首の後ろを冷却するとともに、冷たさを感じる冷点の多い手にも冷温刺激を交互に与えて、冷たいとの情報を脳に伝えて褐色脂肪細胞の働きをより活発化させて基礎代謝の向上を図る基礎代謝向上補助具を提供する。【解決方法】入浴時、温湯で暖められた入浴者の首の後ろと両手を間欠的に冷却し、冷温の交互刺激によって褐色脂肪細胞の活性化を促し基礎代謝を向上させられるよう、軟質塩化ビニール製ケースに保冷剤を充填した首の後ろを冷却する褐色脂肪細胞冷却部２と、前記褐色脂肪細胞冷却部２の左右両側にシート状可撓性部材４を介して接続され、それぞれ左右の手で握持する保冷剤を充填した二つの握持冷却部３とで基礎代謝向上補助具１を形成する。【選択図】図１
0003176070.tif 000002
【実用新案登録請求の範囲】
【請求項１】
入浴時、温湯で暖められた入浴者の首の後ろや腰など褐色脂肪細胞が集中する部位と両手とを間欠的に冷却し、冷温の交互刺激によって前記褐色脂肪細胞の活性化を促して基礎代謝を向上させるための用具であって、
首の後ろや腰など褐色脂肪細胞が集中する部位に当接する褐色脂肪細胞冷却部と、前記褐色脂肪細胞冷却部の左右両側にシート状可撓性部材を介して接続され、それぞれ左右の手で握持する二つの握持冷却部とで形成されてなることを特徴とする基礎代謝向上補助具。
【請求項２】
褐色脂肪細胞冷却部、及び二つの握持冷却部が、軟質の塩化ビニール製ケース内に保冷剤を収容してなるものであることを特徴とする請求項１に記載の基礎代謝向上補助具。
【請求項３】
シート状可撓性部材が反復曲げ応力に対して強く、該シート状可撓性部材を折り曲げることによって前記褐色脂肪細胞冷却部と握持冷却部とを重ね合わせて冷蔵庫に収容でき、かつ、冷蔵庫で冷却されて硬化しても、浴室内の温度で４〜６分で軟化する素材でなることを特徴とする請求項１又は２に記載の基礎代謝向上補助具。
【考案の詳細な説明】
【技術分野】
【０００１】
入浴時、温湯で暖められた入浴者の首の後ろや腰など褐色脂肪細胞が集中する部位と両手とを間欠的に冷却し、冷温の交互刺激によって前記褐色脂肪細胞の活性化を促し基礎代謝を向上させる基礎代謝向上補助具に関する。
【背景技術】
【０００２】
基礎代謝は、呼吸や体温調節など生命を維持するために消費される基礎的なエネルギーであって、人が生活することによって消費する全エネルギーの７０％を占めるとされている。この基礎代謝が正常であれば体温は３６℃台に保たれるが、基礎代謝量が減少すると低体温体質となり、摂取したエネルギーは運動等消費の努力をしないままでは体内に脂肪として蓄積され肥満の原因となる。また低体温によって内臓の働きが弱ったり、肌の新陳代謝が鈍くなったりすると、基礎代謝量がさらに低下することになる。
摂取したエネルギーを体内で燃やして消費する働きをなすのが褐色脂肪細胞であって、この褐色脂肪細胞は加齢に伴って減少し、誕生時の量を１００％とすると成人では４０％にまで減少するといわれ、成人病の一因とも考えられている。したがって、健康な生活を維持するにはこの基礎代謝を向上させることが重要であり、そのためには褐色脂肪細胞を活性化させてエネルギー消費量を増加させる必要がある。
褐色脂肪細胞は冷温刺激を繰り返し行うことによって活性化されることから、従来から褐色脂肪細胞が密集している首の後ろに温水と冷水をシャワーで交互に当てることが行われているが、これには冷水が体全体にかかることが苦痛となる難点があり普及に至っていなかった。
【０００３】
これに対して、「浴槽本体の上縁部に係止される座面を備えた中空器体で浴槽枕を構成する。中空器体は温湯または冷水の貯留用器室に構成されており、中空器体内に導入され他温湯または冷水を利用して入浴者の後頭部を暖めたり冷却したりする浴槽用枕」の考案（特許文献１）や、「浴槽と、浴槽のフランジ部に埋め込まれて人体の頭又は首を載せる埋め込み型の枕本体と、上記枕本体内に温水又は冷水の少なくとも一方を供給する給湯・給水装置を備えた冷温枕付き浴槽」の発明（特許文献２）が開示されており、下半身を浴槽内に浸かりながら、後頭部を暖めたり冷やしたりすることから、冷水は枕を介して後頭部や首にのみ触れるので、シャワーによって冷水が全身にかかる苦痛からは開放されているが、特許文献１では「健康管理に対して効果が期待される」とし、また特許文献２では「入浴時のリラックス効果、及び肩こり解消効果を高める」と記載され、褐色脂肪細胞の活性化による基礎代謝の向上を図るとする点には言及されていない。
【先行技術文献】
【特許文献】
【０００４】
【特許文献１】実開平６−４６５８７号公報
【特許文献２】特開２００８−１８３０５２号公報
【考案の概要】
【考案が解決しようとする課題】
【０００５】
本発明は、上記周辺技術に鑑みてなされたもので、特許文献１及び特許文献２の発明のように浴槽に係止又は固定されることなく、浴槽内で随時使用できる冷却具によって首の後ろや腰など褐色脂肪細胞の集中する部位を冷却するとともに、冷たさを感じる冷点の多い手にも冷温刺激を交互に与えることによって、脳に冷たいという情報を伝えて前記褐色脂肪細胞の働きをより活発化させて基礎代謝の向上を図る基礎代謝向上補助具を提供しようとするものである。
【課題を解決するための手段】
【０００６】
本考案者は、上記課題を下記の手段により解決した。
（１）入浴時、温湯で暖められた入浴者の首や腰など褐色脂肪細胞が集中する部位と両手とを間欠的に冷却し、冷温の交互刺激によって前記褐色脂肪細胞の活性化を促し基礎代謝を向上させるための用具であって、首や腰など褐色脂肪細胞が集中する部位に当接する褐色脂肪細胞冷却部と、前記褐色脂肪細胞冷却部の左右両側にシート状可撓性部材を介して接続され、それぞれ左右の手で握持する二つの握持冷却部とで形成されてなることを特徴とする基礎代謝向上補助具。
（２）褐色脂肪細胞冷却部、及び二つの握持冷却部が、軟質の塩化ビニール製ケース内に保冷剤を収容してなるものであることを特徴とする前項（１）に記載の基礎代謝向上補助具。
（３）シート状可撓性部材が反復曲げ応力に対して強く、該シート状可撓性部材を折り曲げることによって前記褐色脂肪細胞冷却部と握持冷却部とを重ね合わせて冷蔵庫に収容でき、かつ、冷蔵庫で冷却されて硬化しても、浴室内の温度で４〜６分で軟化する素材でなることを特徴とする前項（１）又は（２）に記載の基礎代謝向上補助具。
【考案の効果】
【０００７】
本考案による基礎代謝向上補助具によって、下記の効果が発揮される。
〈１〉本考案の基礎代謝向上補助具が、首の後ろや腰など褐色脂肪細胞が集中する部位に当接する褐色脂肪細胞冷却部と、前記褐色脂肪細胞冷却部の左右両側にシート状可撓性部材を介して接続され、それぞれ左右の手で握持する二つの握持冷却部とで形成されているので、入浴時、温湯で暖められた入浴者の首の後ろや腰など褐色脂肪細胞の集中する部位と両手とを間欠的に冷却でき、冷温の交互刺激によって褐色脂肪細胞の活性化を促し、基礎代謝の向上を図ることができる。
〈２〉本基礎代謝向上補助具が、握持冷却部を有し、冷点の多い両手に冷たさの刺激を与えられるので、その刺激が脳に伝達されて褐色脂肪細胞にエネルギー消費量を増やして体温を上げるよう作用し、基礎代謝量の向上に寄与する。
〈３〉本基礎代謝向上補助具は、浴槽の縁に係止したり固定したりすることなく、二つの握持冷却部を両手で持ち、褐色脂肪細胞冷却部を首の後ろや腰など褐色脂肪細胞の集中する部位に当てればよいことから、浴槽の形状や浴槽内での姿勢にかかわらず簡便に使用できる。
〈４〉褐色脂肪細胞冷却部、及び二つの握持冷却部が、軟質の塩化ビニール製ケース内に保冷剤を収容したものであるので、使用後家庭用冷蔵庫で冷却すれば繰り返し使用できる。
〈５〉シート状可撓性部材が反復曲げ応力に対して強く、該シート状可撓性部材を折り曲げることによって前記褐色脂肪細胞冷却部と握持冷却部とを重ね合わせてコンパクトに冷蔵庫に収容でき、かつ、冷蔵庫で冷却されて硬化しても、浴室内の温度で４〜６分で軟化する素材でなるので、簡便に使用でき、基礎代謝の向上に寄与するとともに、短時間の入浴で体温が上がり、肥満解消の効果も向上する。
【図面の簡単な説明】
【０００８】
【図１】本考案の基礎代謝向上補助具の正面図
【図２】本考案の基礎代謝向上補助具の使用方法説明図
【図３】本考案の基礎代謝向上補助具を首の後ろに当てて使用る状況図
【図４】本考案の基礎代謝向上補助具を腰に当てて使用る状況図
【図５】本考案の基礎代謝向上補助具を二の腕・脇の下に当てて使用る状況図
【考案を実施するための形態】
【０００９】
本考案の基礎代謝向上補助具を実施するための形態を、実施例の図に基づいて説明する。
図１は本考案の基礎代謝向上補助具の正面図、図２は本考案の基礎代謝向上補助具の使用方法説明図、図３は本考案の基礎代謝向上補助具を首の後ろに当てて使用る状況図、図４は本考案の基礎代謝向上補助具を腰に当てて使用る状況図、図５は本考案の基礎代謝向上補助具を二の腕・脇の下に当てて使用る状況図である。
図において１は基礎代謝向上補助具、２は褐色脂肪細胞冷却部、３は握持冷却部、４はシート状可撓性部材、１０は浴槽、１１は浴槽の蓋を示す。
【００１０】
本考案の基礎代謝向上補助具１は、図１に示すように、首の後ろや腰など褐色脂肪細胞が集中する部位に当接する褐色脂肪細胞冷却部２と、前記褐色脂肪細胞冷却部２の左右両側にシート状可撓性部材４を介して接続され、それぞれ左右の手で握持する二つの握持冷却部３、３とで形成されている。
褐色脂肪細胞冷却部２は首の後ろや腰などの褐色脂肪細胞の集中する部位に当接しやすい形状で構成される。例えば、本実施例においては、長方形の枕状に形成された軟質の塩化ビニール製ケース内に保冷剤が充填される。なお褐色脂肪細胞冷却部２は首の後ろや腰に広く当接できるよう当接面が前方に湾曲して形作られることも好ましい。
また、褐色脂肪細胞冷却部２は、褐色脂肪細胞を冷却できればよく、充填するものは保冷剤でなくともよく、水を充填して冷凍庫で凍らせることによっても使用できる。
一方、二つの握持冷却部３、３は、両手で握って使用することから握持しやすい形状で構成される。本実施例においては、円筒形の軟質塩化ビニール製ケース内に保冷剤が充填されて形成されているが、二つの握持冷却部３、３は手の冷点に刺激を与えられればよく、充填するものは保冷剤でなくともよく、水を充填して冷凍庫で凍らせることによっても使用できる。
そして、褐色脂肪細胞冷却部２と左右二つの握持冷却部３、３とを繋ぐシート状可撓性部材４、４は、反復曲げ応力に対して強い素材（例えばナイロン、ポリエチレン、ポリプロピレン等の軟質樹脂）でなり、このシート状可撓性部材４、４を折り曲げることによって前記褐色脂肪細胞冷却部２と二つの握持冷却部３、３を重ね合わせられるので、本基礎代謝向上補助具１をコンパクトにして家庭用の冷蔵庫の冷凍庫に収納して保冷剤を冷凍することができる。また、前記シート状可撓性部材４、４は、冷却されて硬化しても、浴室内の温度によって４〜６分で軟化するので、浴室に持ち込み、浴槽に入って体を温めている間に軟化し、使用に支障のない状態となる。
【００１１】
本考案の基礎代謝向上補助具１の使用方法は次のとおりである。
ａ．褐色脂肪細胞冷却部２と二つの握持冷却部３、３をシート状可撓性部材４、４を折り曲げて重ね合わせた状態で冷蔵庫の冷凍室に収納して、保冷剤を凍らせる。
ｂ．冷凍室から基礎代謝向上補助具１を取り出して浴槽の近くに置く。この際、浴槽の蓋を半開にしてその蓋の上に置いておけば使用時に手に取りやすく、また、シート状可撓性部材４の軟化も早まるので好ましい。
ｃ．浴槽に浸かって体が温まってきたら、浴槽内で握持冷却部３、３を握り、首の後ろを冷却する場合には褐色脂肪細胞冷却部２を首の後ろに当て（図２、図３参照）２０〜３０秒間維持する。この際手基礎代謝向上補助具１が温湯に浸からないように留意する。
そして、腰を冷却する場合には、浴槽の縁に腰掛け、握持冷却部３、３を握り褐色脂肪細胞冷却部２を腰に当て（図４参照）２０〜３０秒間維持する。
また、二の腕と脇の下を冷却しても効果があることから、この場合は浴槽の縁に褐色脂肪細胞冷却部２を載置し、浴槽に浸かりながら二の腕、脇の下を前記浴槽の縁に載置した褐色脂肪細胞冷却部２に当接させ（図５参照）２０〜３０秒間維持する。
ｄ．次いで、浴槽に首まで浸かり、冷えた両手と首の後ろ、腰、二の腕や脇の下を温湯で暖め、十分暖まった後に再度基礎代謝向上補助具１を用いて上記ｃの行為を繰り返す。
ｅ．上記ｃ、ｄの行為を７回以上繰り返して褐色脂肪細胞の集中部位と両手に対して冷温の交互刺激加え、褐色脂肪細胞の活性化を促す。
【符号の説明】
【００１２】
１：基礎代謝向上補助具
２：褐色脂肪細胞冷却部
３：握持冷却部
４：シート状可撓性部材
１０：浴槽
１１：浴槽の蓋
【図１】
0003176070.tif 000003
【図２】
0003176070.tif 000004
【図３】
0003176070.tif 000005
【図４】
0003176070.tif 000006
【図５】
0003176070.tif 000007